(57)【特許請求の範囲】
【請求項１】
基地局装置と通信を行う端末装置であって、
物理下りリンク制御チャネルと、拡張物理下りリンク制御チャネルとをモニタリングする下りリンク制御チャネル検出部と、
物理上りリンク制御チャネルを生成する物理上りリンク制御チャネル生成部と
を備え、
前記物理下りリンク制御チャネルで送信される下りリンク制御情報は、少なくとも下りリンクリソースブロックアサインメントのためのフィールドを含み、
前記拡張物理下りリンク制御チャネルで送信される下りリンク制御情報は、前記下りリンクリソースブロックアサインメントのためのフィールドに加えて、少なくともＨＡＲＱ応答情報送信のための物理上りリンク制御チャネルリソースを特定するためのフィールドを含み、
前記ＨＡＲＱ応答情報送信のための物理上りリンク制御チャネルリソースの特定に用いられる方法は、前記拡張物理下りリンク制御チャネルを構成する個々の要素が分散的に配置されているか否かによって異なる、端末装置。
【請求項２】
前記物理下りリンク制御チャネルに関連する物理下りリンク共用チャネルに対して、少なくとも、前記物理下りリンク制御チャネルを構成する要素のインデクスと、セルにおいて共通の値とに基づいて決まる物理上りリンク制御チャネルリソースを用いてＨＡＲＱ応答情報を送信する応答送信部を含む請求項１に記載の端末装置。
【請求項３】
前記拡張物理下りリンク制御チャネルに関連する物理下りリンク共用チャネルに対して、前記特定された物理上りリンク制御チャネルリソースを用いて前記ＨＡＲＱ応答情報を送信する応答送信部を含む請求項１に記載の端末装置。
【請求項４】
前記下りリンクリソースブロックアサインメントは、物理下りリンク共用チャネルのリソースブロックアサインメントであり、前記ＨＡＲＱ応答情報は前記物理下りリンク共用チャネルに対するＨＡＲＱ応答情報である請求項１に記載の端末装置。
【請求項５】
端末装置と通信を行う基地局装置であって、
物理下りリンク制御チャネルと、拡張物理下りリンク制御チャネルとを送信する物理制御情報通知部と、
物理上りリンク制御チャネルを受信する物理上りリンク制御チャネル受信部と
を備え、
前記物理下りリンク制御チャネルで送信される下りリンク制御情報は、少なくとも下りリンクリソースブロックアサインメントのためのフィールドを含み、
前記拡張物理下りリンク制御チャネルで送信される下りリンク制御情報は、前記下りリンクリソースブロックアサインメントのためのフィールドに加えて、少なくともＨＡＲＱ応答情報送信のための物理上りリンク制御チャネルリソースを特定するためのフィールドを含み、
前記ＨＡＲＱ応答情報送信のための物理上りリンク制御チャネルリソースの特定に用いられる方法は、前記拡張物理下りリンク制御チャネルを構成する個々の要素が分散的に配置されているか否かによって異なる、基地局装置。
【請求項６】
前記物理下りリンク制御チャネルに関連する物理下りリンク共用チャネルに対して、少なくとも、前記物理下りリンク制御チャネルを構成する要素のインデクスと、セルにおいて共通の値とに基づいて決まる物理上りリンク制御チャネルリソースを用いてＨＡＲＱ応答情報を受信する応答情報受信部を含む請求項５に記載の基地局装置。
【請求項７】
前記拡張物理下りリンク制御チャネルに関連する物理下りリンク共用チャネルに対して、前記特定される物理上りリンク制御チャネルリソースを用いて前記ＨＡＲＱ応答情報を受信する応答情報受信部を含む請求項５に記載の基地局装置。
【請求項８】
前記下りリンクリソースブロックアサインメントは、物理下りリンク共用チャネルのリソースブロックアサインメントであり、前記ＨＡＲＱ応答情報は前記物理下りリンク共用チャネルに対するＨＡＲＱ応答情報である請求項５に記載の基地局装置。
【請求項９】
基地局装置と通信を行う端末装置に用いられる集積回路であって、
物理下りリンク制御チャネルと、拡張物理下りリンク制御チャネルとをモニタリングする下りリンク制御チャネル検出部と、
物理上りリンク制御チャネルを生成する物理上りリンク制御チャネル生成部と
を備え、
前記物理下りリンク制御チャネルで送信される下りリンク制御情報は、少なくとも下りリンクリソースブロックアサインメントのためのフィールドを含み、
前記拡張物理下りリンク制御チャネルで送信される下りリンク制御情報は、前記下りリンクリソースブロックアサインメントのためのフィールドに加えて、少なくともＨＡＲＱ応答情報送信のための物理上りリンク制御チャネルリソースを特定するためのフィールドを含み、
前記ＨＡＲＱ応答情報送信のための物理上りリンク制御チャネルリソースの特定に用いられる方法は、前記拡張物理下りリンク制御チャネルを構成する個々の要素が分散的に配置されているか否かによって異なる、集積回路。
【請求項１０】
端末装置と通信を行う基地局装置に用いられる集積回路であって、
物理下りリンク制御チャネルと、拡張物理下りリンク制御チャネルとを送信する物理制御情報通知部と、
物理上りリンク制御チャネルを受信する物理上りリンク制御チャネル受信部と
を備え、
前記物理下りリンク制御チャネルで送信される下りリンク制御情報は、少なくとも下りリンクリソースブロックアサインメントのためのフィールドを含み、
前記拡張物理下りリンク制御チャネルで送信される下りリンク制御情報は、前記下りリンクリソースブロックアサインメントのためのフィールドに加えて、少なくともＨＡＲＱ応答情報送信のための物理上りリンク制御チャネルリソースを特定するためのフィールドを含み、
前記ＨＡＲＱ応答情報送信のための物理上りリンク制御チャネルリソースの特定に用いられる方法は、前記拡張物理下りリンク制御チャネルを構成する個々の要素が分散的に配置されているか否かによって異なる、集積回路。
【請求項１１】
基地局装置と通信を行う端末装置における通信方法であって、
物理下りリンク制御チャネルと、拡張物理下りリンク制御チャネルとをモニタリングするステップと、
物理上りリンク制御チャネルを生成するステップと
を備え、
前記物理下りリンク制御チャネルで送信される下りリンク制御情報は、少なくとも下りリンクリソースブロックアサインメントのためのフィールドを含み、
前記拡張物理下りリンク制御チャネルで送信される下りリンク制御情報は、前記下りリンクリソースブロックアサインメントのためのフィールドに加えて、少なくともＨＡＲＱ応答情報送信のための物理上りリンク制御チャネルリソースを特定するためのフィールドを含み、
前記ＨＡＲＱ応答情報送信のための物理上りリンク制御チャネルリソースの特定に用いられる方法は、前記拡張物理下りリンク制御チャネルを構成する個々の要素が分散的に配置されているか否かによって異なる、通信方法。
【請求項１２】
端末装置と通信を行う基地局装置における通信方法であって、
物理下りリンク制御チャネルを送信するステップと、
拡張物理下りリンク制御チャネルを送信するステップと、
物理上りリンク制御チャネルを受信するステップと
を備え、
前記物理下りリンク制御チャネルで送信される下りリンク制御情報は、少なくとも下りリンクリソースブロックアサインメントのためのフィールドを含み、
前記拡張物理下りリンク制御チャネルで送信される下りリンク制御情報は、前記下りリンクリソースブロックアサインメントのためのフィールドに加えて、少なくともＨＡＲＱ応答情報送信のための物理上りリンク制御チャネルリソースを特定するためのフィールドを含み、
前記ＨＡＲＱ応答情報送信のための物理上りリンク制御チャネルリソースの特定に用いられる方法は、前記拡張物理下りリンク制御チャネルを構成する個々の要素が分散的に配置されているか否かによって異なる、通信方法。
【発明の詳細な説明】
【技術分野】
【０００１】
本発明は、端末装置、基地局装置、集積回路および通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（基地局装置、下りリンク送信装置、上りリンク受信装置、ｅＮｏｄｅＢ）および端末（端末装置、移動局装置、下りリンク受信装置、上りリンク送信装置、ＵＥ）は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。また、特に、ＬＴＥおよびＬＴＥ−Ａでは、下りリンクでＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いて高い周波数利用効率を実現するとともに、上りリンクでＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式を用いてピーク電力を抑制している。さらに、自動再送要求ＡＲＱ（Ａｕｔｏｍａｔｉｃ  Ｒｅｐｅａｔ  ｒｅＱｕｅｓｔ）と誤り訂正符号とを組み合わせたＨＡＲＱ（Ｈｙｂｒｉｄ  ＡＲＱ）が採用されている。
【０００３】
図２３は、ＨＡＲＱを行うＬＴＥの通信システム構成を示す図である。図２３では、基地局２３０１は端末２３０２に、物理下りリンク制御チャネル（ＰＤＣＣＨ：Ｐｙｓｉｃａｌ  Ｄｏｗｎｌｉｎｋ  Ｃｏｎｔｒｏｌ  ＣＨａｎｎｅｌ）２３０３を介して、下りリンク送信データ２３０４に関する制御情報の通知を行う。端末２３０２は、まず制御情報の検出を行い、検出された場合に、検出された制御情報を用いて下りリンク送信データ２５０４を抽出する。制御情報を検出した端末２３０２は、物理上りリンク制御チャネル（ＰＵＣＣＨ：Ｐｙｓｉｃａｌ  Ｕｐｌｉｎｋ  Ｃｏｎｔｒｏｌ  ＣＨａｎｎｅｌ）２３０５を介して、下りリンク送信データ２３０４抽出の成否を示すＨＡＲＱ応答情報を基地局２３０１に報告する。このとき、端末２３０２が利用可能なＰＵＣＣＨ２３０５のリソース（ＰＵＣＣＨリソース）は、制御情報が割り当てられていたＰＤＣＣＨ２３０３のリソースから黙示的／暗示的に一意に決まるようになっている。これにより、端末２３０２がＨＡＲＱ応答情報を報告するに際して、動的に割り当てられたＰＵＣＣＨリソースを用いることができる。また、端末間でＰＵＣＣＨリソースが重複しないようにすることができる（非特許文献１、非特許文献２）。
【先行技術文献】
【非特許文献】
【０００４】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）、２０１１年６月、３ＧＰＰ  ＴＳ  ３６．２１１  Ｖ１０．２．０  （２０１１−０６）。
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １０）、２０１０年６月、３ＧＰＰ  ＴＳ  ３６．２１３  Ｖ１０．２．０  （２０１１−０６）。
【発明の概要】
【発明が解決しようとする課題】
【０００５】
しかしながら、ＨＡＲＱを行うことができる無線通信システムにおいて、１つの基地局が収容できる端末の数を増加するために、物理下りリンク制御チャネルだけでなく、拡張された物理下りリンク制御チャネルを用いることが考えられる。そのため、従来の物理上りリンク制御チャネルリソースの指定方法では、基地局が拡張された物理下りリンク制御チャネルで制御情報を送信する場合に物理上りリンク制御チャネルリソースの指定が基地局と端末間で行われることができず、伝送効率の向上が妨げられる要因となる。
【０００６】
本発明は、上記問題を鑑みてなされたものであり、その目的は、基地局と端末が通信する無線通信システムにおいて、基地局が端末に対する制御情報を、物理下りリンク制御チャネルだけでなく、拡張された物理下りリンク制御チャネルを介して通知する場合においても、効率的に物理上りリンク制御チャネルリソースの指定を行うことができる端末装置、基地局装置、集積回路および通信方法を提供することにある。
【課題を解決するための手段】
【０００７】
（１）この発明は上述した課題を解決するためになされたもので、本発明の一態様による端末は、基地局と通信を行う端末であって、物理下りリンク制御チャネル領域に配置された物理下りリンク制御チャネルと、前記物理下りリンク制御チャネル領域とは異なる物理下りリンク共用チャネル領域に配置された拡張物理下りリンク制御チャネルとをモニタリングする下りリンク制御チャネル検出部と、前記下りリンク制御チャネル検出部が前記物理下りリンク制御チャネルあるいは前記拡張物理下りリンク制御チャネルを検出した場合、前記検出された前記物理下りリンク制御チャネルあるいは拡張物理下りリンク制御チャネルに関連する物理下りリンク共用チャネルにおける送信データを抽出するデータ抽出部と、前記抽出された送信データに対する応答情報を生成する応答情報生成部と、前記下りリンク制御チャネル検出部が前記物理下りリンク制御チャネルを検出した場合、前記物理下りリンク制御チャネルが検出された物理下りリンク制御チャネルリソースに対応する物理上りリンク制御チャネルリソースに、前記応答情報をマッピングして、物理上りリンク制御チャネルを生成し、前記下りリンク制御チャネル検出部が前記拡張物理下りリンク制御チャネルを検出した場合、所定の物理上りリンク制御チャネルリソースに、前記応答情報をマッピングして、物理上りリンク制御チャネルを生成する上りリンク制御チャネル生成部と、前記物理上りリンク制御チャネルを含む信号を送信する応答送信部と、を有することを特徴とする。
【０００８】
（２）また、本発明の一態様による端末は上記の端末であって、前記所定の物理上りリンク制御チャネルリソースを示すパラメータを含む制御情報を取得する上位層制御情報取得部を有することを特徴とする。
【０００９】
（３）また、本発明の一態様による端末は、基地局と通信を行う端末であって、物理下りリンク制御チャネル領域に配置された物理下りリンク制御チャネルと、前記物理下りリンク制御チャネル領域とは異なる物理下りリンク共用チャネル領域に配置された拡張物理下りリンク制御チャネルとをモニタリングする下りリンク制御チャネル検出部と、前記下りリンク制御チャネル検出部が前記拡張物理下りリンク制御チャネルを検出した場合、前記検出された拡張物理下りリンク制御チャネルに関連する物理下りリンク共用チャネルにおける送信データを抽出するデータ抽出部と、前記抽出された送信データに対する応答情報を生成する応答情報生成部と、所定の複数の物理上りリンク制御チャネルリソースのうち、前記拡張物理下りリンク制御チャネルにより指定された物理上りリンク制御チャネルリソースに、前記応答情報をマッピングして、物理上りリンク制御チャネルを生成する上りリンク制御チャネル生成部と、前記物理上りリンク制御チャネルを含む信号を送信する応答送信部と、を有することを特徴とする。
【００１０】
（４）また、本発明の一態様による端末は上記の端末であって、前記所定の複数の物理上りリンク制御チャネルリソースを示すパラメータを含む制御情報を取得する上位層制御情報取得部を有することを特徴とする。
【００１１】
（５）また、本発明の一態様による端末は上記の端末であって、前記下りリンク制御チャネル検出部は、前記所定の複数の物理上りリンク制御チャネルリソースのうち、一つの物理上りリンク制御チャネルリソースを明示的に指定する前記拡張物理下りリンク制御チャネルを検出することを特徴とする。
【００１２】
（６）また、本発明の一態様による端末は上記の端末であって、前記下りリンク制御チャネル検出部は、前記所定の複数の物理上りリンク制御チャネルリソースのうち、一つの物理上りリンク制御チャネルリソースを黙示的または暗示的に指定する前記拡張物理下りリンク制御チャネルを検出することを特徴とする。
【００１３】
（７）また、本発明の一態様による基地局は、端末と通信を行う基地局であって、物理下りリンク制御チャネル領域に配置された物理下りリンク制御チャネル、あるいは前記物理下りリンク制御チャネル領域とは異なる物理下りリンク共用チャネル領域に配置された拡張物理下りリンク制御チャネルを前記端末に通知する物理制御情報通知部と、前記物理制御情報通知部が前記物理下りリンク制御チャネルを通知した場合、前記物理下りリンク制御チャネルを配置した物理下りリンク制御チャネルリソースに対応する物理上りリンク制御チャネルリソースにおいて、前記物理下りリンク制御チャネルに関連する物理下りリンク共用チャネルにおける送信データに対する応答情報がマッピングされた物理上りリンク制御チャネルを抽出し、前記物理制御情報通知部が前記拡張物理下りリンク制御チャネルを通知した場合、所定の物理上りリンク制御チャネルリソースにおいて、前記拡張物理下りリンク制御チャネルに関連する物理下りリンク共用チャネルにおける送信データに対する応答情報がマッピングされた物理上りリンク制御チャネルを抽出する応答情報受信部と、を有することを特徴とする。
【００１４】
（８）また、本発明の一態様による基地局は上記の基地局であって、前記所定の物理上りリンク制御チャネルリソースを示すパラメータを含む制御情報を前記端末に通知する上位層制御情報通知部を有することを特徴とする。
【００１５】
（９）また、本発明の一態様による基地局は、端末と通信を行う基地局であって、物理下りリンク共用チャネル領域に配置され、所定の複数の物理上りリンク制御チャネルリソースのうち一つの物理上りリンク制御チャネルリソースを指定する拡張物理下りリンク制御チャネルを前記端末に通知する物理制御情報通知部と、前記拡張物理下りリンク制御チャネルにより指定された物理上りリンク制御チャネルリソースにおいて、前記拡張物理下りリンク制御チャネルに関連する物理下りリンク共用チャネルにおける送信データに対する応答情報がマッピングされた物理上りリンク制御チャネルを抽出する応答情報受信部と、を有することを特徴とする。
【００１６】
（１０）また、本発明の一態様による基地局は上記の基地局であって、前記所定の複数の物理上りリンク制御チャネルリソースを示すパラメータを含む制御情報を前記端末に通知する上位層制御情報通知部を有することを特徴とする。
【００１７】
（１１）また、本発明の一態様による基地局は上記の基地局であって、前記拡張物理下りリンク制御チャネルは、所定の複数の物理上りリンク制御チャネルリソースのうち一つの物理上りリンク制御チャネルリソースを明示的に指定することを特徴とする。
【００１８】
（１２）また、本発明の一態様による基地局は上記の基地局であって、前記拡張物理下りリンク制御チャネルは、所定の複数の物理上りリンク制御チャネルリソースのうち一つの物理上りリンク制御チャネルリソースを黙示的または暗示的に指定することを特徴とする。
【００１９】
（１３）また、本発明の一態様による通信システムは、基地局と端末との間で通信を行う通信システムであって、前記基地局は、物理下りリンク制御チャネル領域に配置された物理下りリンク制御チャネル、あるいは前記物理下りリンク制御チャネル領域とは異なる物理下りリンク共用チャネル領域に配置された拡張物理下りリンク制御チャネルを前記端末に通知する物理制御情報通知部と、前記物理制御情報通知部が前記物理下りリンク制御チャネルを通知した場合、前記物理下りリンク制御チャネルを配置した物理下りリンク制御チャネルリソースに対応する物理上りリンク制御チャネルリソースにおいて、前記物理下りリンク制御チャネルに関連する物理下りリンク共用チャネルにおける送信データに対する応答情報がマッピングされた物理上りリンク制御チャネルを抽出し、前記物理制御情報通知部が前記拡張物理下りリンク制御チャネルを通知した場合、所定の物理上りリンク制御チャネルリソースにおいて、前記拡張物理下りリンク制御チャネルに関連する物理下りリンク共用チャネルにおける送信データに対する応答情報がマッピングされた物理上りリンク制御チャネルを抽出する応答情報受信部と、を有し、前記端末は、前記物理下りリンク制御チャネルと、前記拡張物理下りリンク制御チャネルとをモニタリングする下りリンク制御チャネル検出部と、前記下りリンク制御チャネル検出部が前記物理下りリンク制御チャネルあるいは前記拡張物理下りリンク制御チャネルを検出した場合、前記検出された前記物理下りリンク制御チャネルあるいは拡張物理下りリンク制御チャネルに関連する物理下りリンク共用チャネルにおける送信データを抽出するデータ抽出部と、前記抽出された送信データに対する応答情報を生成する応答情報生成部と、前記下りリンク制御チャネル検出部が前記物理下りリンク制御チャネルを検出した場合、前記物理下りリンク制御チャネルが検出された物理下りリンク制御チャネルリソースに対応する物理上りリンク制御チャネルリソースに、前記応答情報をマッピングして、物理上りリンク制御チャネルを生成し、前記下りリンク制御チャネル検出部が前記拡張物理下りリンク制御チャネルを検出した場合、所定の物理上りリンク制御チャネルリソースに、前記応答情報をマッピングして、物理上りリンク制御チャネルを生成する上りリンク制御チャネル生成部と、前記物理上りリンク制御チャネルを含む信号を送信する応答送信部と、を有することを特徴とする。
【００２０】
（１４）また、本発明の一態様による通信方法は、基地局と通信を行う端末における通信方法であって、物理下りリンク制御チャネル領域に配置された物理下りリンク制御チャネルと、前記物理下りリンク制御チャネル領域とは異なる物理下りリンク共用チャネル領域に配置された拡張物理下りリンク制御チャネルとをモニタリングするステップと、前記物理下りリンク制御チャネルあるいは前記拡張物理下りリンク制御チャネルを検出した場合、前記検出された前記物理下りリンク制御チャネルあるいは拡張物理下りリンク制御チャネルに関連する物理下りリンク共用チャネルにおける送信データを抽出するステップと、前記抽出された送信データに対する応答情報を生成するステップと、前記物理下りリンク制御チャネルを検出した場合、前記物理下りリンク制御チャネルが検出された物理下りリンク制御チャネルリソースに対応する物理上りリンク制御チャネルリソースに、前記応答情報をマッピングして、物理上りリンク制御チャネルを生成し、前記拡張物理下りリンク制御チャネルを検出した場合、所定の物理上りリンク制御チャネルリソースに、前記応答情報をマッピングして、物理上りリンク制御チャネルを生成するステップと、前記物理上りリンク制御チャネルを含む信号を送信するステップと、を有することを特徴とする。
【００２１】
（１５）また、本発明の一態様による通信方法は、端末と通信を行う基地局における通信方法であって、物理下りリンク制御チャネル領域に配置された物理下りリンク制御チャネル、あるいは前記物理下りリンク制御チャネル領域とは異なる物理下りリンク共用チャネル領域に配置された拡張物理下りリンク制御チャネルを前記端末に通知するステップと、前記物理下りリンク制御チャネルを通知した場合、前記物理下りリンク制御チャネルを配置した物理下りリンク制御チャネルリソースに対応する物理上りリンク制御チャネルリソースにおいて、前記物理下りリンク制御チャネルに関連する物理下りリンク共用チャネルにおける送信データに対する応答情報がマッピングされた物理上りリンク制御チャネルを抽出し、前記拡張物理下りリンク制御チャネルを通知した場合、所定の物理上りリンク制御チャネルリソースにおいて、前記拡張物理下りリンク制御チャネルに関連する物理下りリンク共用チャネルにおける送信データに対する応答情報がマッピングされた物理上りリンク制御チャネルを抽出するステップと、を有することを特徴とする。
【発明の効果】
【００２２】
この発明によれば、基地局と端末が通信する無線通信システムにおいて、基地局が端末に対する制御情報を、物理下りリンク制御チャネルだけでなく、拡張された物理下りリンク制御チャネルを介して通知する場合においても、効率的に物理上りリンク制御チャネルリソースの指定することができる。
【図面の簡単な説明】
【００２３】
【図１】本発明の第１の実施形態に係る通信システム構成例を示す図である。
【図２】同実施形態に係る下りリンクの無線フレーム構成の一例を示す図である。
【図３】同実施形態に係る上りリンクの無線フレーム構成の一例を示す図である。
【図４】同実施形態に係る基地局のブロック構成の一例を示す概略図である。
【図５】同実施形態に係る端末のブロック構成の一例を示す概略図である。
【図６】同実施形態に係るＰＵＣＣＨが割り当てられる上りリンク制御チャネル領域における物理上りリソースブロック構成を示す図である。
【図７】同実施形態に係る上りリンク制御チャネル論理リソースを示す対応表である。
【図８】同実施形態に係るＰＤＣＣＨ領域、およびＰＤＳＣＨ領域における物理リソースブロックＰＲＢと仮想リソースブロックＶＲＢとを示す図である。
【図９】同実施形態に係るＥ−ＰＤＣＣＨ領域およびＰＤＳＣＨ領域におけるＰＲＢとＶＲＢとのマッピングの一例を示す図である。
【図１０】同実施形態に係るＥ−ＰＤＣＣＨ領域およびＰＤＳＣＨ領域におけるＰＲＢとＶＲＢとのマッピングの他の一例を示す図である。
【図１１】同実施形態に係るＥ−ＰＤＣＣＨ領域内のＶＲＢの番号付けの一例を示す図である。
【図１２】同実施形態に係るＰＤＣＣＨの構成とＰＵＣＣＨリソースの割り当てを示す図である。
【図１３】同実施形態に係るＥ−ＰＤＣＣＨの構成を示す図である。
【図１４】同実施形態に係るＥ−ＰＤＣＣＨの構成を示す図である。
【図１５】同実施形態に係る基地局と端末との間の下りリンクデータ送信およびその応答手続きの流れを示す図である。
【図１６】同実施形態に係る下りリンクグラントの送信に用いるチャネルとＰＵＣＣＨリソースとの対応表を示す図である。
【図１７】同実施形態に係る下りリンクグラントの送信に用いるチャネルとＰＵＣＣＨリソースとの対応表を示す図である。
【図１８】同実施形態に係る基地局と端末との間の下りリンクデータ送信およびその応答手続きの流れを示す図である。
【図１９】本発明の第２の実施形態に係る基地局と端末との間の下りリンクデータ送信およびその応答手続きの流れを示す図である。
【図２０】同実施形態に係るインデクスと複数のＰＵＣＣＨリソースの対応表を示す図である。
【図２１】同実施形態に係る基地局と端末との間の下りリンクデータ送信およびその応答手続きの流れを示す図である。
【図２２】同実施形態に係るインデクスと複数のＰＵＣＣＨリソースの対応表を示す図である。
【図２３】通信システム構成例を示す図である。
【発明を実施するための形態】
【００２４】
（第１の実施形態）
以下、本発明の第１の実施形態について説明する。本第１の実施形態における通信システムは、基地局（基地局装置、下りリンク送信装置、上りリンク受信装置、ｅＮｏｄｅＢ）および端末（端末装置、移動局装置、下りリンク受信装置、上りリンク送信装置、ＵＥ）を備える。
【００２５】
図１は、第１の実施形態に係る通信システム構成例を示す図である。図１では、基地局１０１は端末１０２に、ＰＤＣＣＨおよび／または拡張された物理下りリンク制御チャネル（Ｅ−ＰＤＣＣＨ：Ｅｎｈａｎｃｅｄ−ＰＤＣＣＨ）１０３を介して、下りリンク送信データ１０４に関する制御情報の通知を行う。端末１０２は、まず制御情報の検出を行い、検出された場合に、検出された制御情報を用いて下りリンク送信データ１０４を抽出する。制御情報を検出した端末１０２は、ＰＵＣＣＨを介して、下りリンク送信データ１０４抽出の成否を示すＨＡＲＱ応答情報（「Ａｃｋ／Ｎａｃｋ」とも称す）を基地局１０１に報告する。このとき、端末１０２がＰＤＣＣＨにおいて制御情報を検出した場合、端末１０２が利用可能な物理上りリンク制御チャネル（ＰＵＣＣＨ）１０５のリソースは、制御情報が割り当てられていたＰＤＣＣＨのリソースから黙示的／暗示的に一意に決まるようになっている。また、端末１０２がＥ−ＰＤＣＣＨ１０３において制御情報を検出した場合、端末１０２が利用可能なＰＵＣＣＨ１０５のリソースは、予め基地局１０１により指定される。
【００２６】
図２は、本実施形態に係る下りリンクの無線フレーム構成の一例を示す図である。下りリンクはＯＦＤＭアクセス方式が用いられる。下りリンクでは、ＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２７】
図３は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。なお、ここでは一つのＣＣにおける上りリンクサブフレームを記載しているが、ＣＣ毎に上りリンクサブフレームが規定される。
【００２８】
図４は、本実施形態に係る基地局１０１のブロック構成の一例を示す概略図である。基地局１０１は、コードワード生成部４０１、下りリンクサブフレーム生成部４０２、ＯＦＤＭ信号送信部（物理制御情報通知部）４０４、送信アンテナ（基地局送信アンテナ）４０５、受信アンテナ（基地局受信アンテナ）４０６、ＳＣ−ＦＤＭＡ信号受信部（応答情報受信部）４０７、上りリンクサブフレーム処理部４０８、上位層（上位層制御情報通知部）４１０を有する。下りリンクサブフレーム生成部４０２は、物理下りリンク制御チャネル生成部４０３を有する。また、上りリンクサブフレーム処理部４０８は、物理上りリンク制御チャネル抽出部４０９を有する。
【００２９】
図５は、本実施形態に係る端末１０２のブロック構成の一例を示す概略図である。端末１０２は、受信アンテナ（端末受信アンテナ）５０１、ＯＦＤＭ信号受信部（下りリンク受信部）５０２、下りリンクサブフレーム処理部５０３、コードワード抽出部（データ抽出部）５０５、上位層（上位層制御情報取得部）５０６、応答情報生成部５０７、上りリンクサブフレーム生成部５０８、ＳＣ−ＦＤＭＡ信号送信部（応答送信部）５１０、送信アンテナ（端末送信アンテナ）５１１を有する。下りリンクサブフレーム処理部５０３は、物理下りリンク制御チャネル抽出部（下りリンク制御チャネル検出部）５０４を有する。また、上りリンクサブフレーム生成部５０８は、物理上りリンク制御チャネル生成部（上りリンク制御チャネル生成部）５０９を有する。
【００３０】
まず、図４および図５を用いて、下りリンクデータの送受信の流れについて説明する。基地局１０１では、上位層４１０から送られてくる送信データ（トランスポートブロックとも称す）は、コードワード生成部４０１において、誤り訂正符号化、レートマッチング処理などの処理が施され、コードワードが生成される。１つのセルにおける１つのサブフレームにおいて、最大２つのコードワードが同時に送信される。下りリンクサブフレーム生成部４０２では、上位層４１０の指示により、下りリンクサブフレームが生成される。まず、コードワード生成部４０１において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。なお、下りリンクにおけるＲＥは、各ＯＦＤＭシンボル上の各サブキャリアに対応して規定される。このとき、上位層４１０から送られてくる送信データ系列は、ＲＲＣ（Ｒａｄｉｏ  Ｒｅｓｏｕｒｃｅ  Ｃｏｎｔｒｏｌ）シグナリング用の制御情報（上位層制御情報）を含む。また、物理下りリンク制御チャネル生成部４０３では、物理下りリンク制御チャネルが生成される。ここで、物理下りリンク制御チャネルに含まれる制御情報（下りリンク制御情報、下りリンクグラント）は、下りリンクにおける変調方式などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いるＨＡＲＱの制御情報（リダンダンシーバージョン・ＨＡＲＱプロセス番号・新データ指標）、ＰＵＣＣＨの閉ループ送信電力制御に用いるＰＵＣＣＨ−ＴＰＣ（Ｔｒａｎｓｍｉｓｓｉｏｎ  Ｐｏｗｅｒ  Ｃｏｎｔｒｏｌ）コマンドなどの情報を含む。下りリンクサブフレーム生成部４０２は、上位層４１０の指示により、物理下りリンク制御チャネルを下りリンクサブフレーム内のＲＥにマッピングする。下りリンクサブフレーム生成部４０２で生成されたアンテナポート毎の下りリンクサブフレームは、ＯＦＤＭ信号送信部４０４においてＯＦＤＭ信号に変調され、送信アンテナ４０５を介して送信される。
【００３１】
端末１０２では、受信アンテナ５０１を介して、ＯＦＤＭ信号受信部５０２においてＯＦＤＭ信号が受信され、ＯＦＤＭ復調処理が施される。下りリンクサブフレーム処理部５０３は、まず物理下りリンク制御チャネル抽出部５０４においてＰＤＣＣＨ（第１の下りリンク制御チャネル）あるいはＥ−ＰＤＣＣＨ（第２の下りリンク制御チャネル）を検出する。より具体的には、ＰＤＣＣＨが配置され得る領域（第１の下りリンク制御チャネル領域）あるいはＥ−ＰＤＣＣＨが配置され得る領域（第２の下りリンク制御チャネル領域、潜在的Ｅ−ＰＤＣＣＨ）をデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、物理下りリンク制御チャネル抽出部５０４は、ＰＤＣＣＨ領域に配置されたＰＤＣＣＨと、ＰＤＣＣＨ領域とは異なるＰＤＳＣＨ領域に配置されたＥ−ＰＤＣＣＨとをモニタリングする。ＣＲＣビットが予め基地局から割り当てられたＩＤと一致する場合、下りリンクサブフレーム処理部５０３は、ＰＤＣＣＨあるいはＥ−ＰＤＣＣＨを検出できたものと認識し、検出したＰＤＣＣＨあるいはＥ−ＰＤＣＣＨに含まれる制御情報を用いてＰＤＳＣＨを抽出する。より具体的には、下りリンクサブフレーム生成部４０２におけるＲＥマッピング処理や変調処理に対応するＲＥデマッピング処理や復調処理などが施される。受信した下りリンクサブフレームから抽出されたＰＤＳＣＨは、コードワード抽出部５０５に送られる。コードワード抽出部５０５では、コードワード生成部４０１におけるレートマッチング処理、誤り訂正符号化に対応するレートマッチング処理、誤り訂正復号化などが施され、トランスポートブロックが抽出され、上位層５０６に送られる。すなわち、物理下りリンク制御チャネル抽出部５０４がＰＤＣＣＨあるいはＥ−ＰＤＣＣＨを検出した場合、コードワード抽出部５０５は検出されたＰＤＣＣＨあるいはＥ−ＰＤＣＣＨに関連するＰＤＳＣＨにおける送信データを抽出して上位層５０６に送る。
【００３２】
次に、下りリンク送信データに対するＨＡＲＱ応答情報の送受信の流れについて説明する。端末１０２では、コードワード抽出部５０５においてトランスポートブロックの抽出の成否が決定すると、成否を示す情報が応答情報生成部５０７に送られる。応答情報生成部５０７では、ＨＡＲＱ応答情報が生成され、上りリンクサブフレーム生成部５０８内の物理上りリンク制御チャネル生成部５０９に送られる。上りリンクサブフレーム生成部５０８では、上位層５０６から送られるパラメータと、物理下りリンク制御チャネル抽出部５０４においてＰＤＣＣＨあるいはＥ−ＰＤＣＣＨが配置されていたリソースとに基づいて、物理上りリンク制御チャネル生成部５０９においてＨＡＲＱ応答情報（上りリンク制御情報）を含むＰＵＣＣＨが生成され、生成されたＰＵＣＣＨが上りリンクサブフレーム内のＲＢにマッピングされる。一方、物理下りリンク制御チャネル抽出部５０４がＥ−ＰＤＣＣＨ領域（ＰＤＳＣＨ領域の一部）においてＥ−ＰＤＣＣＨを検出した場合、上りリンクサブフレーム生成部５０８では、上位層からの指示に基づいて、物理上りリンク制御チャネル生成部５０９においてＨＡＲＱ応答情報（上りリンク制御情報）を含むＰＵＣＣＨが生成され、生成されたＰＵＣＣＨが上りリンクサブフレーム内のＲＢにマッピングされる。すなわち、ＰＵＣＣＨリソースに応答情報がマッピングされてＰＵＣＣＨが生成される。ＳＣ−ＦＤＭＡ信号送信部５１０は、上りリンクサブフレームにＳＣ−ＦＤＭＡ変調を施してＳＣ−ＦＤＭＡ信号を生成し、送信アンテナ５１１を介して送信する。
【００３３】
基地局１０１では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。上りリンクサブフレーム処理部４０８では、上位層４１０の指示により、ＰＵＣＣＨがマッピングされたＲＢを抽出し、物理上りリンク制御チャネル抽出部４０９においてＰＵＣＣＨに含まれるＨＡＲＱ応答制御情報を抽出する。抽出されたＨＡＲＱ応答制御情報は上位層４１０に送られる。ＨＡＲＱ応答制御情報は、上位層４１０によるＨＡＲＱの制御に用いられる。
【００３４】
次に、上りリンクサブフレーム生成部５０８におけるＰＵＣＣＨリソースに関して説明する。ＨＡＲＱ応答制御情報は、サイクリックシフトされた擬似ＣＡＺＡＣ（Ｃｏｎｓｔａｎｔ−Ａｍｐｌｉｔｕｄｅ  Ｚｅｒｏ−ＡｕｔｏＣｏｒｒｅｌａｔｉｏｎ）系列を用いてＳＣ−ＦＤＭＡサンプル領域に拡散され、さらに符号長が４の直交符号ＯＣＣ（Ｏｒｔｈｏｇｏｎａｌ  Ｃｏｖｅｒ  Ｃｏｄｅ）を用いてスロット内の４ＳＣ−ＦＤＭＡシンボルに拡散される。また、２つの符号により拡散されたシンボルは、２つの周波数が異なるＲＢにマッピングされる。こうして、ＰＵＣＣＨリソースは、サイクリックシフト量・直交符号・マッピングされるＲＢの３つの要素により規定される。なお、ＳＣ−ＦＤＭＡサンプル領域におけるサイクリックシフトは、周波数領域で一様増加する位相回転で表現することもできる。
【００３５】
図６は、ＰＵＣＣＨが割り当てられる上りリンク制御チャネル領域における物理上りリソースブロック構成（上りリンク制御チャネル物理リソース）を示す図である。それぞれのＲＢのペアは、第１スロットと第２スロットとで異なる周波数の２つのＲＢから構成される。１つのＰＵＣＣＨは、ｍ＝０、１、２、・・・のうちのいずれかのＲＢのペアに配置される。
【００３６】
図７は上りリンク制御チャネル論理リソースを示す対応表である。ここでは、ＰＵＣＣＨを構成する要素として、ＯＣ０、ＯＣ１、ＯＣ２の３つの直交符号と、ＣＳ０、ＣＳ２、ＣＳ４、ＣＳ６、ＣＳ８、ＣＳ１０の６つのサイクリックシフト量と、周波数リソースを示すｍを想定した場合のＰＵＣＣＨリソースの一例である。ＰＵＣＣＨリソース（上りリンク制御チャネル論理リソース）を示すインデクスであるｎＰＵＣＣＨに対応して、直交符号とサイクリックシフト量とｍとの各組み合わせが一意に規定されている。なお、図７に示すｎＰＵＣＣＨと、直交符号とサイクリックシフト量とｍとの各組み合わせとの対応は一例であり、他の対応であってもよい。例えば、連続するｎＰＵＣＣＨ間で、サイクリックシフト量が変わるように対応させてもよいし、ｍが変わるように対応させてもよい。また、ＣＳ０、ＣＳ２、ＣＳ４、ＣＳ６、ＣＳ８、ＣＳ１０とは異なるサイクリックシフト量であるＣＳ１、ＣＳ３、ＣＳ５、ＣＳ７、ＣＳ９、ＣＳ１１を用いてもよい。また、ここではｍの値がＮＦ２以上の場合を示している。ｍがＮＦ２未満である周波数リソースは、チャネル状態情報のフィードバックのためのＰＵＣＣＨ送信に予約されたＮＦ２個の周波数リソースである。
【００３７】
次に、ＰＤＣＣＨとＥ−ＰＤＣＣＨについて説明する。図８はＰＤＣＣＨ領域、およびＰＤＳＣＨ領域における物理リソースブロックＰＲＢ（Ｐｈｙｓｉｃａｌ  ＲＢ）と仮想リソースブロックＶＲＢ（Ｖｉｒｔｕａｌ  ＲＢ）とを示す図である。実際のサブフレーム上のＲＢはＰＲＢと呼ばれる。また、ＲＢの割り当てに用いられる論理的なリソースであるＲＢはＶＲＢと呼ばれる。ＮＤＬＰＲＢは、下りリンクＣＣ内で周波数方向に並べられたＰＲＢ数である。ＰＲＢ（あるいはＰＲＢペア）には番号ｎＰＲＢが振られ、ｎＰＲＢは周波数の低い方から順に、０、１、２、・・・、ＮＤＬＰＲＢ−１となる。下りリンクＣＣ内で周波数方向に並べられたＶＲＢ数はＮＤＬＰＲＢに等しい。ＶＲＢ（あるいはＶＲＢペア）には番号ｎＶＲＢが振られ、ｎＶＲＢは周波数の低い方から順に、０、１、２、・・・、ＮＤＬＰＲＢ−１となる。ＰＲＢの各々とＶＲＢの各々は、明示的あるいは黙示的／暗示的にマッピングされる。なお、ここでいう番号は、インデクスとも表現できる。
【００３８】
次に、図９はＥ−ＰＤＣＣＨ領域およびＰＤＳＣＨ領域におけるＰＲＢとＶＲＢとのマッピングの一例を示す図である。このＰＲＢ−ＶＲＢマッピング方式によれば、ｎＰＲＢとｎＶＲＢとが等しいＰＲＢペアとＶＲＢペアとがマッピングされる。つまり、ｎＶＲＢのＶＲＢペア上のＲＥに割り当てられた送信データあるいは制御情報の変調シンボルは、ｎＰＲＢ＝ｎＶＲＢのＰＲＢペア上のＲＥにそのままマッピングされる。
【００３９】
次に、図１０はＥ−ＰＤＣＣＨ領域およびＰＤＳＣＨ領域におけるＰＲＢとＶＲＢとのマッピングの他の一例を示す図である。このＰＲＢ−ＶＲＢマッピング方式によれば、周波数軸上で互いに隣り合うＶＲＢが周波数軸上で離れた位置のＰＲＢにマッピングされる。さらに、同じｎＶＲＢを持つＶＲＢペア内の第１スロット内のＶＲＢと第２スロット内のＶＲＢとが、周波数軸上で離れた位置のＰＲＢにマッピングされる。ただし、第１スロット内のＶＲＢは第１スロット内のＰＲＢに、第２スロット内のＶＲＢは第２スロット内のＰＲＢに、それぞれマッピングされる。つまり、スロット内の周波数ホッピングとスロットホッピング（スロット間の周波数ホッピング）が適用される。
【００４０】
このように、一部（あるいは全部）のＶＲＢペアが、Ｅ−ＰＤＣＣＨ領域（潜在的にＥ−ＰＤＣＣＨが配置され得る領域）として設定される。さらに、明示的あるいは黙示的／暗示的に指定されるＰＲＢ−ＶＲＢマッピング方式により、実質的にはＰＤＳＣＨ領域中の一部（あるいは全部）のＰＲＢペア、あるいはスロットホッピングされたＰＲＢが、Ｅ−ＰＤＣＣＨ領域として設定される。
【００４１】
図１１はＥ−ＰＤＣＣＨ領域内のＶＲＢの番号付けの一例を示す図である。ＮＤＬＰＲＢ個のＶＲＢペアのうちＥ−ＰＤＣＣＨ領域に設定されたＮＥ−ＰＤＣＣＨＶＲＢ個のＶＲＢペアを取り出し、Ｅ−ＰＤＣＣＨ領域におけるＶＲＢ番号ｎＥ−ＰＤＣＣＨＶＲＢを振る。周波数が低いＶＲＢペアから順に０、１、２、・・・、ＮＥ−ＰＤＣＣＨＶＲＢ−１となる。つまり、周波数領域において、潜在的Ｅ−ＰＤＣＣＨ送信に対してＮＥ−ＰＤＣＣＨＶＲＢ個のＶＲＢのセットが上位層のシグナリング（例えば端末個別のシグナリングやセル内共通のシグナリング）により設定される。
【００４２】
次に、ＰＤＣＣＨの構成とＰＵＣＣＨリソースの割り当てについて説明する。図１２は、ＰＤＣＣＨの構成とＰＵＣＣＨリソースの割り当てを示す図である。ＰＤＣＣＨは、ＰＤＣＣＨ領域内の複数の制御チャネルエレメント（ＣＣＥ：Ｃｏｎｔｒｏｌ  Ｃｈａｎｎｅｌ  Ｅｌｅｍｅｎｔ）により構成される。ＣＣＥは、複数の下りリンクリソースエレメント（１つのＯＦＤＭシンボルおよび１本のサブキャリアで規定されるリソース）により構成される。
【００４３】
ＰＤＣＣＨ領域内のＣＣＥには、ＣＣＥを識別するための番号ｎＣＣＥが付与されている。ＣＣＥの番号付けは、予め決められた規則に基づいて行なわれる。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩ（Ｄｏｗｎｌｉｎｋ  Ｃｏｎｔｒｏｌ  Ｉｎｆｏｒｍａｔｉｏｎ；下りリンク制御情報）（ＰＤＣＣＨ、またはＥ−ＰＤＣＣＨで送信される制御情報）のビット数に応じて基地局１０１において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００４４】
１個のＲＥＧ（ＲＥ  Ｇｒｏｕｐ）は周波数領域の隣接する４個のＲＥにより構成される。さらに、１個のＣＣＥは、ＰＤＣＣＨ領域内で周波数領域及び時間領域に分散した９個の異なるＲＥＧにより構成される。具体的には、下りリンクＣＣ全体に対して、番号付けされた全てのＲＥＧに対してブロックインタリーバを用いてＲＥＧ単位でインタリーブが行なわれ、インタリーブ後の番号の連続する９個のＲＥＧにより１個のＣＣＥが構成される。
【００４５】
各端末には、ＰＤＣＣＨを検索する領域（探索領域、検索領域）であるＳＳ（Ｓｅａｒｃｈ  Ｓｐａｃｅ）が設定される。ＳＳは、複数のＣＣＥから構成される。ＣＣＥには予め番号が振られており、番号の連続する複数のＣＣＥからＳＳは構成される。あるＳＳを構成するＣＣＥ数は予め決められている。各ＣＣＥ集合レベルのＳＳは、複数のＰＤＣＣＨの候補の集合体により構成される。ＳＳは、構成されるＣＣＥのうち、番号が最も小さいＣＣＥの番号がセル内で共通であるセル固有探索領域ＣＳＳ（Ｃｅｌｌ−ｓｐｅｃｉｆｉｃ  ＳＳ）と、番号が最も小さいＣＣＥの番号が端末固有である端末固有探索領域ＵＳＳ（ＵＥ−ｓｐｅｃｉｆｉｃ  ＳＳ）とに分類される。ＣＳＳには、システム情報あるいはページングに関する情報など、複数の端末１０２が読む制御情報が割り当てられた（含まれた）ＰＤＣＣＨ、あるいは下位の送信方式へのフォールバックやランダムアクセスの指示を示す下りリンク／上りリンクグラントが割り当てられた（含まれた）ＰＤＣＣＨを配置することができる。
【００４６】
基地局１０１は、端末１０２において設定されるＳＳ内の１個以上のＣＣＥを用いてＰＤＣＣＨを送信する。端末１０２は、ＳＳ内の１個以上のＣＣＥを用いて受信信号の復号を行ない、自身宛てのＰＤＣＣＨを検出するための処理を行なう。前述したように、この処理をブラインドデコーディングと呼ぶ。端末１０２は、ＣＣＥ集合レベル毎に異なるＳＳを設定する。その後、端末１０２は、ＣＣＥ集合レベル毎に異なるＳＳ内の予め決められた組み合わせのＣＣＥを用いてブラインドデコーディングを行なう。言い換えると、端末１０２は、ＣＣＥ集合レベル毎に異なるＳＳ内の各ＰＤＣＣＨの候補に対してブラインドデコーディングを行なう。端末１０２におけるこの一連の処理をＰＤＣＣＨのモニタリングという。
【００４７】
端末１０２は、ＰＤＣＣＨ領域で下りリンクグラントを検出すると、下りリンクグラントを含むＰＤＣＣＨを構成するＣＣＥのうち、ＣＣＥ番号が最も小さいＣＣＥのＣＣＥ番号に応じたＰＵＣＣＨリソースを用いて、下りリンクグラントに対応する下りリンク送信データ（ＰＤＳＣＨ）のＨＡＲＱ応答情報を報告する。逆に、基地局１０１は、下りリンクグラントを含むＰＤＣＣＨを配置する際、端末１０２が下りリンクグラントに対応する下りリンク送信データ（ＰＤＳＣＨ）のＨＡＲＱ応答情報を報告するＰＵＣＣＨリソースに対応するＣＣＥにＰＤＣＣＨを配置するようにする。また、基地局１０１は端末１０２に送信したＰＤＳＣＨに対応するＨＡＲＱ応答情報を、予めスケジューリングしたＰＵＣＣＨを介して受信する。より具体的には、図１２に示すように、下りリンクグラントを含むＰＤＣＣＨを構成するＣＣＥのうち、最初のＣＣＥのＣＣＥ番号ｎＣＣＥにセル固有のパラメータであるＮ１を加算した値に一致するインデクスｎＰＵＣＣＨを持つＰＵＣＣＨリソースが、下りリンクグラントに対応する下りリンク送信データのＨＡＲＱ応答情報に対して割り当てられたＰＵＣＣＨリソースである。
【００４８】
また、例えば、下りリンクグラントに対応する下りリンク送信データが２つ以上のコードワードを含むことによりＨＡＲＱ応答情報自体が２つ以上ある場合や、一つの応答情報を複数のＰＵＣＣＨリソースを用いてダイバーシチ送信する場合のように、一つのＰＤＣＣＨに対応して複数のＰＵＣＣＨリソースが必要である場合があり得る。このとき、下りリンクグラントを含むＰＤＣＣＨを構成するＣＣＥのうち、ＣＣＥ番号が最も小さいＣＣＥのＣＣＥ番号を応じたＰＵＣＣＨリソースに加えて、そのＰＵＣＣＨリソースより１つインデクスが大きいＰＵＣＣＨリソースが用いられる。より具体的には、図１２に示すように、下りリンクグラントを含むＰＤＣＣＨを構成するＣＣＥのうち、最初のＣＣＥのＣＣＥ番号ｎＣＣＥにセル固有のパラメータであるＮ１を加算した値に一致するインデクスｎＰＵＣＣＨを持つＰＵＣＣＨリソースと、最初のＣＣＥのＣＣＥ番号ｎＣＣＥに１とセル固有のパラメータであるＮ１とを加算した値に一致するインデクスｎＰＵＣＣＨを持つＰＵＣＣＨリソースとが、下りリンクグラントに対応する下りリンク送信データのＨＡＲＱ応答情報に対して割り当てられたＰＵＣＣＨリソースである。なお、複数個のＰＵＣＣＨリソースが必要である場合は、同様にして、１つずつ大きいインデクスのＰＵＣＣＨリソースを用いれば良い。
【００４９】
次に、Ｅ−ＰＤＣＣＨの構成について説明する。図１３は、Ｅ−ＰＤＣＣＨの構成を示す図である。なお、図１３に示すＥ−ＰＤＣＣＨは、クロスインタリーブ（Ｅ−ＰＤＣＣＨを構成する個々の要素が複数のＲＢにまたがって配置されるインタリーブであり、ブロックインタリーブとも称す）を採用する場合のＥ−ＰＤＣＣＨの構成を示している。Ｅ−ＰＤＣＣＨは、Ｅ−ＰＤＣＣＨ領域内の複数のＣＣＥにより構成される。具体的には、ＰＤＣＣＨと同様に、１個のＲＥＧは周波数領域の隣接する４個のＲＥにより構成される。さらに、１個のＣＣＥは、Ｅ−ＰＤＣＣＨ領域内で周波数領域及び時間領域に分散した９個の異なるＲＥＧにより構成される。Ｅ−ＰＤＣＣＨ領域内は、第１スロットと第２スロットとで、個別のＥ−ＰＤＣＣＨが配置される。Ｅ−ＰＤＣＣＨ領域内のＣＣＥには、ＣＣＥを識別するための番号（インデクス）ｎＥ−ＰＤＣＣＨＣＣＥが付与されている。また、Ｅ−ＰＤＣＣＨ領域内のＣＣＥは、第１スロットと第２スロットとで、個別にＣＣＥが配置され、ＣＣＥを識別するための番号も個別に割り振られる。
【００５０】
次に、Ｅ−ＰＤＣＣＨの構成の他の例について説明する。図１４は、Ｅ−ＰＤＣＣＨの構成を示す図である。なお、図１４に示すＥ−ＰＤＣＣＨは、クロスインタリーブを採用しない場合のＥ−ＰＤＣＣＨの構成を示している。Ｅ−ＰＤＣＣＨは、Ｅ−ＰＤＣＣＨ領域内の複数のＶＲＢにより構成される。具体的には、Ｅ−ＰＤＣＣＨは、ＰＤＣＣＨとは異なり、ＣＣＥではなくＶＲＢを単位とし、連続する１つ以上のＶＲＢの集合として構成される。この集合を構成するＶＲＢの数を、「ＶＲＢ集合レベル」（ＶＲＢ  ａｇｇｒｅｇａｔｉｏｎ  ｌｅｖｅｌ）と称す。すなわち、クロスインタリーブを採用しない場合のＥ−ＰＤＣＣＨ領域では、ＳＳは、複数のＶＲＢから構成される。Ｅ−ＰＤＣＣＨを構成するＶＲＢ集合レベルは、Ｅ−ＰＤＣＣＨに設定される符号化率、Ｅ−ＰＤＣＣＨに含められるＤＣＩのビット数に応じて基地局１０１において設定される。なお、端末１０２に対して用いられる可能性のあるＶＲＢ集合レベルの組み合わせは予め決められており、端末１０２は、ＳＳ内の予め決められた組み合わせのＶＲＢを用いてブラインドデコーディングを行なう。Ｅ−ＰＤＣＣＨ領域内は、第１スロットと第２スロットとで、個別のＥ−ＰＤＣＣＨが配置される。Ｅ−ＰＤＣＣＨ領域内のＶＲＢには、ＶＲＢを識別するための番号（インデクス）ｎＥ−ＰＤＣＣＨＶＲＢが付与されている。Ｅ−ＰＤＣＣＨ領域内のＶＲＢは、第１スロットと第２スロットとで、個別にＥ−ＰＤＣＣＨを構成するＶＲＢが配置され、ＶＲＢを識別するための番号も個別に割り振られる。
【００５１】
図１５は、基地局１０１と端末１０２との間の下りリンクデータ送信およびその応答手続きの流れを示す図である。基地局１０１は各端末１０２宛の個別のシグナリング（ＲＲＣシグナリング）を用いて、Ｅ−ＰＤＣＣＨ領域を指定（設定、通知）する制御情報を端末１０２に通知し、端末１０２は制御情報に基づいてＥ−ＰＤＣＣＨ領域（潜在的Ｅ−ＰＤＣＣＨ）を設定する（ステップＳ１５０１）。ここで、Ｅ−ＰＤＣＣＨ領域を指定する方法としては、前述したように、周波数帯域内の一部あるいは全部のＲＢを指定する方法を用いる。あるいは、これと併用して、時間領域における一部のサブフレームをＥ−ＰＤＣＣＨが配置され得るサブフレームとして指定することができる。例えば、サブフレームの周期および基準サブフレームからのオフセット値を指定するという方法を用いることができる。あるいは、無線フレーム（１０サブフレーム）あるいは複数無線フレーム内の各サブフレームに対し、Ｅ−ＰＤＣＣＨが配置され得るか否かをビットマップ形式で表現することもできる。また、同時にクロスインタリーブが適用されるかされないかを示す情報も通知される。
【００５２】
次に、基地局１０１はＲＲＣシグナリングを用いて、端末１０２毎に個別に設定可能なＰＵＣＣＨリソースを示すパラメータであるｎ１ＰＵＣＣＨ，ＲＲＣを指定する制御情報を端末１０２に通知し、端末１０２は制御情報に基づいてｎ１ＰＵＣＣＨ，ＲＲＣを設定する（ステップＳ１５０２）。なお、ここでは、基地局１０１がＥ−ＰＤＣＣＨ領域を設定した後、ｎ１ＰＵＣＣＨ，ＲＲＣを設定する例を示しているが、これに限るものではない。例えば、基地局１０１がｎ１ＰＵＣＣＨ，ＲＲＣを設定した後、Ｅ−ＰＤＣＣＨ領域を設定するようにしてもよいし、Ｅ−ＰＤＣＣＨ領域とｎ１ＰＵＣＣＨ，ＲＲＣとを同時に設定するようにしてもよい。また、端末がＰＵＣＣＨの送信に際し、複数のアンテナポートを用いて、アンテナ毎に異なるＰＵＣＣＨリソースで送信する場合のように、一つのタイミングにおけるＨＡＲＱ情報の報告に複数のＰＵＣＣＨリソースを要する場合がある。このような場合は、アンテナポート毎のｎ１ＰＵＣＣＨ，ＲＲＣを設定するなど、複数のｎ１ＰＵＣＣＨ，ＲＲＣを設定すればよい。ここで、ｎ１ＰＵＣＣＨ，ＲＲＣは図１２におけるＮ１以下（あるいは未満）の値であることが好ましい。すなわち、ｎ１ＰＵＣＣＨ，ＲＲＣの取りうる値としては、０からＮ１−１の間である。これにより、ＰＤＣＣＨに対応するＰＵＣＣＨリソースとＥ−ＰＤＣＣＨに対応するＰＵＣＣＨリソースとが衝突する可能性が無くなるため、スケジューリングの負荷を軽減することができる。
【００５３】
次に、基地局１０１はＰＤＣＣＨあるいはＥ−ＰＤＣＣＨを用いて、下りリンクグラントおよび下りリンクグラントに対応する下りリンク送信データを端末１０２に送信し、端末１０２は下りリンクグラントと下りリンク送信データとを受信する（ステップＳ１５０３）。また、下りリンク送信データを受信した端末１０２は、ＨＡＲＱ応答情報を生成する。
【００５４】
最後に、端末１０２は、ステップＳ１５０３において検出した下りリンクグラントのリソースに応じてＰＵＣＣＨリソースを選択し、選択したＰＵＣＣＨリソースを用いてＨＡＲＱ応答情報を報告する（ステップＳ１５０４）。より具体的には、図１６に示すように、ステップＳ１５０２において下りリンクグラントの送信に用いられたチャネルがＰＤＣＣＨ領域内のＰＤＣＣＨである場合、このＰＤＣＣＨを構成する最初（最小）のＣＣＥのインデクスから算出されるインデクスを持つＰＵＣＣＨリソースを選択し、下りリンクグラントの送信に用いられたチャネルがＥ−ＰＤＣＣＨ領域内のＥ−ＰＤＣＣＨである場合、ステップ１５０２において通知されたｎ１ＰＵＣＣＨ，ＲＲＣが示すＰＵＣＣＨリソースを選択する。その後、選択したＰＵＣＣＨリソースを用いて、検出されたＰＤＣＣＨあるいはＥ−ＰＤＣＣＨに関連するＰＤＳＣＨ（ＰＤＳＣＨにおける送信データ）に対するＨＡＲＱ応答情報を報告する。なお、複数のｎ１ＰＵＣＣＨ，ＲＲＣが設定されている場合は、設定された複数のＰＵＣＣＨリソースを用いてＨＡＲＱ応答情報を報告する。
【００５５】
あるいは、図１７に示すように、ステップＳ１５０２において下りリンクグラントの送信に用いられたチャネルがＰＤＣＣＨ領域内のＰＤＣＣＨである場合、このＰＤＣＣＨを構成する最初（最小）のＣＣＥのインデクスから算出されるインデクスを持つＰＵＣＣＨリソースを選択し、下りリンクグラントの送信に用いられたチャネルがＥ−ＰＤＣＣＨ領域内のＥ−ＰＤＣＣＨであり、かつクロスインタリーブが適用されるＥ−ＰＤＣＣＨである場合、このＰＤＣＣＨを構成する最初（最小）のＣＣＥのインデクスから算出されるインデクスを持つＰＵＣＣＨリソースを選択し、下りリンクグラントの送信に用いられたチャネルがＥ−ＰＤＣＣＨ領域内のＥ−ＰＤＣＣＨであり、かつクロスインタリーブが適用されないＥ−ＰＤＣＣＨである場合、ステップ１５０２において通知されたｎ１ＰＵＣＣＨ，ＲＲＣが示すＰＵＣＣＨリソースを選択する。その後、選択したＰＵＣＣＨリソースを用いて、検出されたＰＤＣＣＨあるいはＥ−ＰＤＣＣＨに関連するＰＤＳＣＨ（ＰＤＳＣＨにおける送信データ）に対するＨＡＲＱ応答情報を報告する。
【００５６】
図１８は、基地局１０１と端末１０２との間の下りリンクデータ送信およびその応答手続きの他の流れを示す図である。図１５における手続きと同様、基地局１０１は各端末１０２宛の個別のシグナリング（ＲＲＣシグナリング）を用いて、Ｅ−ＰＤＣＣＨ領域を指定（設定、通知）する制御情報を端末１０２に通知し、端末１０２は制御情報に基づいてＥ−ＰＤＣＣＨ領域（潜在的Ｅ−ＰＤＣＣＨ）を設定する（ステップＳ１８０１）。
【００５７】
図１５における手続きとは異なり、基地局１０１はＲＲＣシグナリングを用いて、端末１０２毎に個別に設定可能なＰＵＣＣＨリソースを示すパラメータであるｎ１ＰＵＣＣＨ，ＲＲＣを指定する制御情報を端末１０２に通知しない。したがって、端末１０２は制御情報に基づいてｎ１ＰＵＣＣＨ，ＲＲＣを設定しない。
【００５８】
次に、基地局１０１はＰＤＣＣＨあるいはＥ−ＰＤＣＣＨを用いて、下りリンクグラントおよび下りリンクグラントに対応する下りリンク送信データを端末１０２に送信し、端末１０２は下りリンクグラントと下りリンク送信データとを受信する（ステップＳ１８０３）。また、下りリンク送信データを受信した端末１０２は、ＨＡＲＱ応答情報を生成する。
【００５９】
最後に、端末１０２は、ステップＳ１８０３において検出した下りリンクグラントのリソースに対応したＰＵＣＣＨリソースを用いてＨＡＲＱ応答情報を報告する（ステップＳ１８０４）。より具体的には、ステップＳ１５０２において下りリンクグラントの送信に用いられたチャネルがＰＤＣＣＨ領域内のＰＤＣＣＨである場合、あるいは下りリンクグラントの送信に用いられたチャネルがＥ−ＰＤＣＣＨ領域内のＥ−ＰＤＣＣＨであり、かつクロスインタリーブが適用される場合、このＰＤＣＣＨを構成する最初（最小）のＣＣＥのインデクスから算出されるインデクスを持つＰＵＣＣＨリソースを用い、下りリンクグラントの送信に用いられたチャネルがＥ−ＰＤＣＣＨ領域内のＥ−ＰＤＣＣＨであり、かつクロスインタリーブが適用さない場合、このＰＤＣＣＨを構成する最初（最小）のＶＲＢのインデクスから算出されるインデクスを持つＰＵＣＣＨリソースを用いて、検出されたＰＤＣＣＨあるいはＥ−ＰＤＣＣＨに関連するＰＤＳＣＨ（ＰＤＳＣＨにおける送信データ）に対するＨＡＲＱ応答情報を報告する。
【００６０】
言い換えると、下りリンクグラントの送信に用いられたチャネルがＥ−ＰＤＣＣＨ領域内のＥ−ＰＤＣＣＨであり、かつＲＲＣシグナリングによってＰＵＣＣＨリソースを示すパラメータであるｎ１ＰＵＣＣＨ，ＲＲＣが指定されていない場合、検出されたＥ−ＰＤＣＣＨを構成する最初（最小）の要素（ＣＣＥあるいはＶＲＢ）のインデクスからＰＵＣＣＨリソースのインデクスを算出し、算出されたインデクスを持つＰＵＣＣＨリソースを用いて、Ｅ−ＰＤＣＣＨに関連するＰＤＳＣＨ（ＰＤＳＣＨにおける送信データ）に対するＨＡＲＱ応答情報を報告する。
【００６１】
以上のように、基地局１０１は端末１０２に対して、下りリンク送信データに対応するＨＡＲＱ応答情報の報告に用いる上りリンク制御チャネルリソース（所定の物理上りリンク制御チャネルリソース）を予め明示的に指定（設定、通知）する。基地局１０１は、ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースと対応したＰＤＣＣＨリソースに下りリンクグラントを割り当てる。さらに、基地局１０１は、ＰＤＣＣＨ領域内における下りリンクグラントに関連して下りリンク送信データを送信した場合、この下りリンクグラントの送信に用いたＰＤＣＣＨリソースに対応した上りリンク制御チャネルリソースをモニタリングして、ＨＡＲＱ応答情報を抽出する。また、Ｅ−ＰＤＣＣＨ領域内における下りリンクグラントに関連して下りリンク送信データを送信した場合、予め指定（設定、通知）した上りリンク制御チャネルリソースをモニタリングして、ＨＡＲＱ応答情報を抽出する。
【００６２】
また、端末１０２は、ＰＤＣＣＨ領域内において下りリンクグラントを検出した場合、この下りリンクグラントに関連する下りリンク送信データに対するＨＡＲＱ応答情報を、下りリンクグラントの送信に用いられたＰＤＣＣＨリソースから一意に決定されるＰＵＣＣＨリソースを用いて報告する。また、Ｅ−ＰＤＣＣＨ領域内において下りリンクグラントを検出した場合、この下りリンクグラントに関連する下りリンク送信データに対するＨＡＲＱ応答情報を、基地局１０１により予め指定（設定、通知）されたＰＵＣＣＨリソースを用いて報告する。すなわち、端末１０２は、ＰＤＣＣＨであるかＥ−ＰＤＣＣＨであるかに応じて、ＰＵＣＣＨリソースの選択手順（あるいはＰＵＣＣＨリソース自体）を切り替える。
【００６３】
これにより、Ｅ−ＰＤＣＣＨを用いて下りリンクグラントを送受信する場合においても、上りリンク制御チャネルを端末に割り当てることができる。また、ＰＤＣＣＨを用いた下りリンクグラントの送信とＥ−ＰＤＣＣＨを用いた下りリンクグラントの送信とを動的に切り替える際にも、用いられるべき上りリンク制御チャネルが一意に決定される。そのため、効率的に上りリンク制御チャネルを用いることが可能となる。
【００６４】
また、基地局１０１は端末１０２に対して、下りリンク送信データに対応するＨＡＲＱ応答情報の報告に用いる上りリンク制御チャネルリソースを予め明示的に指定（設定、通知）する。基地局１０１は、ＰＤＣＣＨ領域内における下りリンクグラントに関連して下りリンク送信データを送信する、あるいはクロスインタリーブを適用されたＥ−ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースと対応したＰＤＣＣＨリソースあるいはＥ−ＰＤＣＣＨリソースに下りリンクグラントを割り当てる。さらに、基地局１０１は、ＰＤＣＣＨ領域内あるいはクロスインタリーブを適用されたＥ−ＰＤＣＣＨ領域内における下りリンクグラントに関連して下りリンク送信データを送信した場合、この下りリンクグラントの送信に用いたＰＤＣＣＨリソースあるいはＥ−ＰＤＣＣＨリソースに対応した上りリンク制御チャネルリソースをモニタリングして、ＨＡＲＱ応答情報を抽出する。また、クロスインタリーブを適用されないＥ−ＰＤＣＣＨ領域内における下りリンクグラントに関連して下りリンク送信データを送信した場合、予め指定（設定、通知）した上りリンク制御チャネルリソースをモニタリングして、ＨＡＲＱ応答情報を抽出する。
【００６５】
また、端末１０２は、ＰＤＣＣＨ領域内あるいはクロスインタリーブを適用されたＥ−ＰＤＣＣＨ領域内において下りリンクグラントを検出した場合、この下りリンクグラントに関連する下りリンク送信データに対するＨＡＲＱ応答情報を、下りリンクグラントの送信に用いられたＰＤＣＣＨリソースあるいはＥ−ＰＤＣＣＨリソースから一意に決定されるＰＵＣＣＨリソースを用いて報告する。また、クロスインタリーブを適用されないＥ−ＰＤＣＣＨ領域内において下りリンクグラントを検出した場合、この下りリンクグラントに関連する下りリンク送信データに対するＨＡＲＱ応答情報を、基地局１０１により予め指定（設定、通知）されたＰＵＣＣＨリソースを用いて報告する。すなわち、端末１０２は、ＰＤＣＣＨであるかＥ−ＰＤＣＣＨであるか、あるいはクロスインタリーブが適用されるか否かに応じて、ＰＵＣＣＨリソースの選択手順（あるいはＰＵＣＣＨリソース自体）を切り替える。
【００６６】
これにより、Ｅ−ＰＤＣＣＨを用いて下りリンクグラントを送受信する場合においても、上りリンク制御チャネルを端末に割り当てることができる。また、ＰＤＣＣＨを用いた下りリンクグラントの送信とＥ−ＰＤＣＣＨを用いた下りリンクグラントの送信とを動的に切り替える際にも、用いられるべき上りリンク制御チャネルが一意に決定される。そのため、効率的に上りリンク制御チャネルを用いることが可能となる。
【００６７】
また、基地局１０１は端末１０２に対して、下りリンク送信データに対応するＨＡＲＱ応答情報の報告に用いる上りリンク制御チャネルリソースを予め明示的に指定（設定、通知）しない。基地局１０１は、ＰＤＣＣＨ領域内あるいはＥ−ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースと対応したＰＤＣＣＨリソースあるいはＥ−ＰＤＣＣＨリソースに下りリンクグラントを割り当てる。さらに、基地局１０１は、この下りリンクグラントの送信に用いたＰＤＣＣＨリソースあるいはＥ−ＰＤＣＣＨリソースに対応した上りリンク制御チャネルリソースをモニタリングして、ＨＡＲＱ応答情報を抽出する。
【００６８】
また、端末１０２に対して、下りリンク送信データに対応するＨＡＲＱ応答情報の報告に用いる上りリンク制御チャネルリソースを基地局１０１から予め明示的に指定（設定、通知）されない場合、下りリンクグラントに関連する下りリンク送信データに対するＨＡＲＱ応答情報を、下りリンクグラントの送信に用いられたＰＤＣＣＨリソースあるいはＥ−ＰＤＣＣＨリソースから一意に決定されるＰＵＣＣＨリソースを用いて報告する。
【００６９】
これにより、予め上りリンク制御チャネルが設定されない場合においても、上りリンク制御チャネルを端末に割り当てることができる。また、ＰＤＣＣＨを用いた下りリンクグラントの送信とＥ−ＰＤＣＣＨを用いた下りリンクグラントの送信とを動的に切り替える際にも、用いられるべき上りリンク制御チャネルが一意に決定される。そのため、効率的に上りリンク制御チャネルを用いることが可能となる。
【００７０】
（第２の実施形態）
上記第１の実施形態では、Ｅ−ＰＤＣＣＨを用いた下りリンクグラントの送信を行う際、ＰＵＣＣＨリソースを明示的にシグナリングする場合について説明した。以下、本発明の第２の実施形態では、Ｅ−ＰＤＣＣＨを用いた下りリンクグラントの送信を行う際、複数のＰＵＣＣＨリソース（所定の複数の物理上りリンク制御チャネルリソース）を明示的にシグナリングし、さらに複数のＰＵＣＣＨリソースのうちのいずれかを動的に指定する場合について説明する。本実施形態における通信システムは、図１に示す通信システムと同様の構成を用いることができる。また、本実施形態における基地局１０１および端末１０２のブロック構成は、図４および図５に示したブロック構成同様の構成を用いることができる。
【００７１】
図１９は、基地局１０１と端末１０２との間の下りリンクデータ送信およびその応答手続きの流れを示す図である。基地局１０１は各端末１０２宛の個別のシグナリング（ＲＲＣシグナリング）を用いて、Ｅ−ＰＤＣＣＨ領域を指定（設定、通知）する制御情報を端末１０２に通知し、端末１０２は制御情報に基づいてＥ−ＰＤＣＣＨ領域（潜在的Ｅ−ＰＤＣＣＨ）を設定する（ステップＳ１９０１）。ここで、Ｅ−ＰＤＣＣＨ領域を指定する方法としては、図１５での説明と同様の方法を用いることができる。
【００７２】
次に、基地局１０１はＲＲＣシグナリングを用いて、端末１０２毎に個別に設定可能なＰＵＣＣＨリソースを示すパラメータであるｎ１ＰＵＣＣＨ，ＲＲＣを複数指定する制御情報を端末１０２に通知し、端末１０２は制御情報に基づいてｎ１ＰＵＣＣＨ，ＲＲＣを設定する（ステップＳ１９０２）。より具体的には、図２０に示すように、所定数のインデクス（ここではインデクス０からインデクス３の４個）の各々に対応したｎ１ＰＵＣＣＨ，ＲＲＣの値（ここではＡ、Ｂ、Ｃ、Ｄの４個の値）を指定（設定、通知）する制御情報が、基地局１０１から端末１０２に通知される。
【００７３】
なお、ここでは、基地局１０１がＥ−ＰＤＣＣＨ領域を設定した後、ｎ１ＰＵＣＣＨ，ＲＲＣを設定する例を示しているが、これに限るものではない。例えば、基地局１０１がｎ１ＰＵＣＣＨ，ＲＲＣを設定した後、Ｅ−ＰＤＣＣＨ領域を設定するようにしてもよいし、Ｅ−ＰＤＣＣＨ領域とｎ１ＰＵＣＣＨ，ＲＲＣとを同時に設定するようにしてもよい。また、端末がＰＵＣＣＨの送信に際し、複数のアンテナポートを用いて、アンテナ毎に異なるＰＵＣＣＨリソースで送信する場合のように、一つのタイミングにおけるＨＡＲＱ情報の報告に複数のＰＵＣＣＨリソースを要する場合がある。このような場合は、アンテナポート毎に複数のｎ１ＰＵＣＣＨ，ＲＲＣを設定するなどすればよい。
【００７４】
次に、基地局１０１はＥ−ＰＤＣＣＨを用いて、下りリンクグラントおよび下りリンクグラントに対応する下りリンク送信データを端末１０２に送信し、端末１０２は下りリンクグラントと下りリンク送信データとを受信する（ステップＳ１９０３）。ここで、下りリンクグラントであるＤＣＩは、ＰＵＣＣＨリソースを指定する情報を含む。例えば、ＤＣＩは、ＰＵＣＣＨリソースを指定するビットフィールド（ここでは２ビット）を有する。また、下りリンク送信データを受信した端末１０２は、ＨＡＲＱ応答情報を生成する。
【００７５】
最後に、端末１０２は、ステップＳ１９０３において検出した下りリンクグラントのビットフィールドで示されたビット系列に応じたＰＵＣＣＨリソースを用いてＨＡＲＱ応答情報を報告する（ステップＳ１９０４）。より具体的には、ＤＣＩのビットフィールドにマッピングされたビット系列により、ステップ１９０２において設定された複数のｎ１ＰＵＣＣＨ，ＲＲＣのいずれかが指定される。例えば、図２０に示すように、所定数のインデクス（ここではインデクス０からインデクス３の４個）およびｎ１ＰＵＣＣＨ，ＲＲＣの値（ここではＡ、Ｂ、Ｃ、Ｄの４個の値）に対応するビット系列が予め決められており、ビットフィールドにマッピングされたビット系列に対応するｎ１ＰＵＣＣＨ，ＲＲＣの値（ここではＡ、Ｂ、Ｃ、Ｄのいずれか）をインデクスとして持つＰＵＣＣＨリソースを用いてＨＡＲＱ応答情報を報告する。
【００７６】
なお、ここでは、ステップ１９０２で設定されるＰＵＣＣＨリソースの数、およびステップ１９０３で指定可能なＰＵＣＣＨリソースの数が共に４個である場合について説明したが、もちろん他の個数であってもよい。また、ＤＣＩは、ＰＵＣＣＨリソースを指定するビットフィールドは、ＰＵＣＣＨリソースの指定専用のビットフィールドであってもよいし、他のパラメータの指定とビットフィールドを共用することもできる。
【００７７】
図２１は、基地局１０１と端末１０２との間の下りリンクデータ送信およびその応答手続きの他の流れを示す図である。基地局１０１は各端末１０２宛の個別のシグナリング（ＲＲＣシグナリング）を用いて、Ｅ−ＰＤＣＣＨ領域を指定（設定、通知）する制御情報を端末１０２に通知し、端末１０２は制御情報に基づいてＥ−ＰＤＣＣＨ領域（潜在的Ｅ−ＰＤＣＣＨ）を設定する（ステップＳ２１０１）。ここで、Ｅ−ＰＤＣＣＨ領域を指定する方法としては、図１５での説明と同様の方法を用いることができる。
【００７８】
次に、基地局１０１はＲＲＣシグナリングを用いて、端末１０２毎に個別に設定可能なＰＵＣＣＨリソースを示すパラメータであるｎ１ＰＵＣＣＨ，ＲＲＣを複数指定する制御情報を端末１０２に通知し、端末１０２は制御情報に基づいてｎ１ＰＵＣＣＨ，ＲＲＣを設定する（ステップＳ２１０２）。より具体的には、図２２に示すように、所定数のインデクス（ここではインデクス０からインデクス３の４個）の各々に対応したｎ１ＰＵＣＣＨ，ＲＲＣの値（ここではＡ、Ｂ、Ｃ、Ｄの４個の値）を指定（設定、通知）する制御情報が、基地局１０１から端末１０２に通知される。
【００７９】
次に、基地局１０１はＥ−ＰＤＣＣＨを用いて、下りリンクグラントおよび下りリンクグラントに対応する下りリンク送信データを端末１０２に送信し、端末１０２は下りリンクグラントと下りリンク送信データとを受信する（ステップＳ２１０３）。また、下りリンク送信データを受信した端末１０２は、ＨＡＲＱ応答情報を生成する。
【００８０】
次に、端末１０２は、ステップＳ２１０３において検出した下りリンクグラントに基づいてＰＵＣＣＨリソースを選択する（ステップＳ２１０４）。言い換えると、下りリンクグラントは、ステップS２１０２において設定された複数のＰＵＣＣＨリソースのいずれかを黙示的／暗示的に指定しており、端末１０２は、下りリンクグラントにより黙示的／暗示的に指定されたＰＵＣＣＨリソースを選択する。例えば、下りリンクグラントの送信に用いられたＥ−ＰＤＣＣＨを構成する最初（最小）の要素のインデクスから、ＲＲＣシグナリングで設定された複数のＰＵＣＣＨリソースのいずれかが一意に決まるようなルールを予め設定しておく。例えば、図２２に示すように、Ｅ−ＰＤＣＣＨを構成する最初（最小）のＶＲＢのインデクスｎ１ｓｔＶＲＢに剰余演算を施した結果に対応する所定数のインデクス（ここではインデクス０からインデクス３の４個）が予め決められており、ステップＳ２１０３において検出したＥ−ＰＤＣＣＨから求められるインデクス（インデクス０からインデクス３）に対応するｎ１ＰＵＣＣＨ，ＲＲＣの値（ここではＡ、Ｂ、Ｃ、Ｄのいずれか）をインデクスｎＰＵＣＣＨとして持つＰＵＣＣＨリソースを用いてＨＡＲＱ応答情報を報告する。
【００８１】
なお、ここではＥ−ＰＤＣＣＨを構成する要素のインデクスに剰余演算を施した結果に応じて、予め設定された複数のＰＵＣＣＨリソースから、使用するＰＵＣＣＨリソースを選択する場合について説明したが、これに限るものではなく、要素のインデクスに対して他の演算を施した結果を用いてもよい。あるいは、Ｅ−ＰＤＣＣＨに付加されたＣＲＣビットにマスキング（所定ビットを加算）されたビット系列を検出して、検出されたビット系列に応じて、予め設定された複数のＰＵＣＣＨリソースから、使用するＰＵＣＣＨリソースを選択するようにしてもよい。このように、検出されたＥ−ＰＤＣＣＨから、黙示的／暗示的にＰＵＣＣＨリソースを選択することができる。
【００８２】
最後に、端末１０２は、ステップＳ２１０４において選択されたＰＵＣＣＨリソースを用いて、ＨＡＲＱ応答情報を報告する。
【００８３】
なお、ここでは、ステップ２１０２で設定されるＰＵＣＣＨリソースの数、およびステップ２１０３で黙示的／暗示的に指定可能なＰＵＣＣＨリソースの数が共に４個である場合について説明したが、もちろん他の個数であってもよい。
【００８４】
以上のように、基地局１０１は端末１０２に対して、下りリンク送信データに対応するＨＡＲＱ応答情報の報告に用いる可能性がある複数の上りリンク制御チャネルリソースを予め明示的に指定（設定、通知）する。基地局１０１は、Ｅ−ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースを、下りリンクグラントにおいて明示的に指定する。このとき、予め指定（設定、通知）された複数の上りリンク制御チャネルリソースの中から指定する。さらに、基地局１０１は、指定した上りリンク制御チャネルリソースをモニタリングして、ＨＡＲＱ応答情報を抽出する。
【００８５】
また、端末１０２は、Ｅ−ＰＤＣＣＨ領域内において下りリンクグラントを検出した場合、この下りリンクグラントに関連する下りリンク送信データに対するＨＡＲＱ応答情報を、予め明示的に指定（設定、通知）された複数の上りリンク制御チャネルリソースのうち、下りリンクグラントにおいて明示的に指定されたＰＵＣＣＨリソースを用いて報告する。
【００８６】
これにより、Ｅ−ＰＤＣＣＨを用いて下りリンクグラントを送受信する場合においても、上りリンク制御チャネルを端末に割り当てることができる。また、 Ｅ−ＰＤＣＣＨを用いた下りリンクグラントの送信に際し、用いられるべき上りリンク制御チャネルが動的に指定される。そのため、効率的に上りリンク制御チャネルを用いることが可能となる。
【００８７】
また、基地局１０１は端末１０２に対して、下りリンク送信データに対応するＨＡＲＱ応答情報の報告に用いる可能性がある複数の上りリンク制御チャネルリソースを予め明示的に指定（設定、通知）する。基地局１０１は、Ｅ−ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースを、下りリンクグラントにおいて黙示的／暗示的に指定する。このとき、予め指定（設定、通知）された複数の上りリンク制御チャネルリソースの中から指定する。さらに、基地局１０１は、指定した上りリンク制御チャネルリソースをモニタリングして、ＨＡＲＱ応答情報を抽出する。
【００８８】
また、端末１０２は、Ｅ−ＰＤＣＣＨ領域内において下りリンクグラントを検出した場合、この下りリンクグラントに関連する下りリンク送信データに対するＨＡＲＱ応答情報を、予め明示的に指定（設定、通知）された複数の上りリンク制御チャネルリソースのうち、下りリンクグラントにおいて黙示的／暗示的に指定されたＰＵＣＣＨリソースを用いて報告する。
【００８９】
これにより、Ｅ−ＰＤＣＣＨを用いて下りリンクグラントを送受信する場合においても、上りリンク制御チャネルを端末に割り当てることができる。また、 Ｅ−ＰＤＣＣＨを用いた下りリンクグラントの送信に際し、用いられるべき上りリンク制御チャネルが動的に指定される。そのため、効率的に上りリンク制御チャネルを用いることが可能となる。
【００９０】
なお、本実施形態では、Ｅ−ＰＤＣＣＨを用いて下りリンクグラントを送受信する場合について説明したが、第１の実施形態のようにＰＤＣＣＨとＥ−ＰＤＣＣＨとを切り替えながら用いて下りリンクグラントを送受信することもできる。例えば、基地局１０１は端末１０２に対して、下りリンク送信データに対応するＨＡＲＱ応答情報の報告に用いる可能性がある複数の上りリンク制御チャネルリソースを予め明示的に指定（設定、通知）しておき、 Ｅ−ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースを、下りリンクグラントにおいて指定する。また、ＰＤＣＣＨ領域内における下りリンクグラントに関連して下りリンク送信データを送信するに際し、この下りリンク送信データに対応するＨＡＲＱ応答情報の報告に用いる上りリンク制御チャネルリソースと対応したＰＤＣＣＨリソースに下りリンクグラントを割り当てる。端末１０２は、ＰＤＣＣＨ領域内において下りリンクグラントを検出した場合、この下りリンクグラントに関連する下りリンク送信データに対するＨＡＲＱ応答情報を、下りリンクグラントの送信に用いられたＰＤＣＣＨリソースから一意に決定されるＰＵＣＣＨリソースを用いて報告し、Ｅ−ＰＤＣＣＨ領域内において下りリンクグラントを検出した場合、この下りリンクグラントに関連する下りリンク送信データに対するＨＡＲＱ応答情報を、予め明示的に指定（設定、通知）された複数の上りリンク制御チャネルリソースのうち、下りリンクグラントにおいて指定されたＰＵＣＣＨリソースを用いて報告する。
【００９１】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【００９２】
また、上記各実施形態では、ＰＤＳＣＨ領域に配置される拡張された物理下りリンク制御チャネル１０３をＥ−ＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、Ｅ−ＰＤＣＣＨとＰＤＣＣＨとを区別する上記各実施形態と実質的に同じである。
【００９３】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９４】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、または全部を典型的には集積回路であるＬＳＩとして実現してもよい。基地局および端末の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００９５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００９６】
本発明は、無線基地局装置や無線端末装置や無線通信システムや無線通信方法に用いて好適である。
【符号の説明】
【００９７】
１０１  基地局
１０２  端末
１０３  拡張された物理下りリンク制御チャネル
１０４  下りリンク送信データ
１０５  物理上りリンク制御チャネル
４０１  コードワード生成部
４０２  下りリンクサブフレーム生成部
４０３  物理下りリンク制御チャネル生成部
４０４  ＯＦＤＭ信号送信部
４０５、５１１  送信アンテナ
４０６、５０１  受信アンテナ
４０７  ＳＣ−ＦＤＭＡ信号受信部
４０８  上りリンクサブフレーム処理部
４０９  物理上りリンク制御チャネル抽出部
４１０、５０６  上位層
５０２  ＯＦＤＭ信号受信部
５０３  下りリンクサブフレーム処理部
５０４  物理下りリンク制御チャネル抽出部
５０５  コードワード抽出部
５０７  応答情報生成部
５０８  上りリンクサブフレーム生成部
５０９  物理上りリンク制御チャネル生成部
５１０  ＳＣ−ＦＤＭＡ信号送信部
２３０１  基地局
２３０２  端末
２３０３  物理下りリンク制御チャネル
２３０４  下りリンク送信データ
２３０５  物理上りリンク制御チャネル
【図１】
0005811443.tif 000002
【図２】
0005811443.tif 000003
【図３】
0005811443.tif 000004
【図４】
0005811443.tif 000005
【図５】
0005811443.tif 000006
【図６】
0005811443.tif 000007
【図７】
0005811443.tif 000008
【図８】
0005811443.tif 000009
【図９】
0005811443.tif 000010
【図１０】
0005811443.tif 000011
【図１１】
0005811443.tif 000012
【図１２】
0005811443.tif 000013
【図１３】
0005811443.tif 000014
【図１４】
0005811443.tif 000015
【図１５】
0005811443.tif 000016
【図１６】
0005811443.tif 000017
【図１７】
0005811443.tif 000018
【図１８】
0005811443.tif 000019
【図１９】
0005811443.tif 000020
【図２０】
0005811443.tif 000021
【図２１】
0005811443.tif 000022
【図２２】
0005811443.tif 000023
【図２３】
0005811443.tif 000024